【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
車両に搭載された充電装置と、少なくとも１つの充電スタンドとから構成される、非接触充電を行う非接触充電システムであって、
前記少なくとも１つの充電スタンドは、
前記充電装置に電力を供給する給電装置と、
前記給電装置に設けられ、無線通信を行うための給電装置無線通信部と、
前記給電装置に設けられ、非接触で照合用電力を出力するとともに充電用電力を給電する給電コイルと
を備え、
前記充電装置は、
前記無線通信を行うための充電装置無線通信部と、
非接触で前記照合用電力が入力されるとともに前記充電用電力を受電するための受電コイルと、
前記受電コイルにて受電した前記照合用電力を検出するための照合用電力検出部と
を備え、
前記無線通信は前記充電装置と前記少なくとも１つの給電装置との間で通信が可能であり、前記給電装置はあらかじめそれぞれ異なる識別情報に基づいて、前記照合用電力を発生させるために前記給電コイルに供給する電力のパターンを保持しており、前記照合用電力を発生させるために前記給電コイルに供給する電力のパターンは、前記照合用電力を前記照合用電力検出部で検出する際に、前記識別情報を前記照合用電力検出部が検出できるように生成されており、前記充電装置は前記給電装置に対して給電装置起動要求を発信し、前記給電装置起動要求を受信した前記給電装置は、前記給電コイルから前記照合用電力を出力し、前記受電コイルに前記照合用電力が入力され、前記照合用電力を前記照合用電力検出部が検出し、前記充電装置が、前記識別情報に基づく情報を含む無線接続要求を発信し、前記少なくとも１つの給電装置はそれぞれ前記識別情報と前記識別情報に基づく情報とを照合し、前記識別情報と前記識別情報に基づく情報とが一致した給電装置が前記充
電装置に対して応答することで、少なくとも１つ以上の前記給電装置のうち、前記充電装置に対して無線通信を行うべき前記給電装置を特定し、該給電装置と前記充電装置との間で無線通信を確立する非接触充電システム。
【請求項２】
前記照合用電力は、前記給電装置から前記充電装置へ前記非接触充電を行うときの前記充電用電力よりも弱い電力である、請求項１に記載の非接触充電システム。
【請求項３】
前記識別情報は、前記照合用電力の出力時間である、請求項１または２に記載の非接触充電システム。
【請求項４】
前記識別情報は、前記照合用電力の出力電力値である、請求項１または２に記載の非接触充電システム。
【請求項５】
前記識別情報は、前記給電装置が前記照合用電力の出力要求を受けてから前記照合用電力を出力するまでの遅延時間である、請求項１または２に記載の非接触充電システム。
【請求項６】
充電装置に電力を供給する給電装置と、
前記給電装置に設けられ、無線通信を行うための給電装置無線通信部と、
前記給電装置に設けられ、非接触で照合用電力を出力するとともに充電用電力を給電する給電コイルと
を備える少なくとも１つの充電スタンドによって非接触充電される、前記充電装置を備えた車両であって、
前記充電装置は、
前記無線通信を行うための充電装置無線通信部と、
前記充電装置に設けられ、非接触で前記照合用電力が入力されるとともに前記充電用電力を受電するための受電コイルと、
前記受電コイルにて受電した前記照合用電力を検出するための照合用電力検出部と
を備え、
前記無線通信は前記充電装置と前記少なくとも１つの給電装置との間で通信が可能であり、前記給電装置はあらかじめそれぞれ異なる識別情報に基づいて、前記照合用電力を発生させるために前記給電コイルに供給する電力のパターンを保持しており、前記照合用電力を発生させるために前記給電コイルに供給する電力のパターンは、前記照合用電力を前記照合用電力検出部で検出する際に、前記識別情報を前記照合用電力検出部が検出できるように生成されており、前記充電装置は前記給電装置に対して給電装置起動要求を発信し、前記給電装置起動要求を受信した前記給電装置は、前記給電コイルから前記照合用電力を出力し、前記受電コイルに前記照合用電力が入力され、前記照合用電力を前記照合用電力検出部が検出し、前記充電装置が、前記識別情報に基づく情報を含む無線接続要求を発信し、前記少なくとも１つの給電装置はそれぞれ前記識別情報と前記識別情報に基づく情報とを照合し、前記識別情報と前記識別情報に基づく情報とが一致した給電装置が前記充
電装置に対して応答することで、少なくとも１つ以上の前記給電装置のうち、前記充電装置に対して無線通信を行うべき前記給電装置を特定し、該給電装置と前記充電装置との間で無線通信を確立する車両。
【請求項７】
無線通信を行うための給電装置無線通信部と、
非接触で照合用電力を出力するとともに充電用電力を給電する給電コイルと
を備え、少なくとも１つの充電スタンドに設けられ、車両に搭載された充電装置に電力を供給する給電装置であって、
前記充電装置は、
前記無線通信を行うための充電装置無線通信部と、
非接触で前記照合用電力が入力されるとともに前記充電用電力を受電するための受電コイルと、
前記受電コイルにて受電した前記照合用電力を検出するための照合用電力検出部と
を備え、
前記無線通信は前記充電装置と前記少なくとも１つの給電装置との間で通信が可能であり、前記給電装置はあらかじめそれぞれ異なる識別情報に基づいて、前記照合用電力を発生させるために前記給電コイルに供給する電力のパターンを保持しており、前記照合用電力を発生させるために前記給電コイルに供給する電力のパターンは、前記照合用電力を前記照合用電力検出部で検出する際に、前記識別情報を前記照合用電力検出部が検出できるように生成されており、前記充電装置は前記給電装置に対して給電装置起動要求を発信し、前記給電装置起動要求を受信した前記給電装置は、前記給電コイルから前記照合用電力を出力し、前記受電コイルに前記照合用電力が入力され、前記照合用電力を前記照合用電力検出部が検出し、前記充電装置が、前記識別情報に基づく情報を含む無線接続要求を発信し、前記少なくとも１つの給電装置はそれぞれ前記識別情報と前記識別情報に基づく情報とを照合し、前記識別情報と前記識別情報に基づく情報とが一致した給電装置が前記充電装置に対して応答することで、少なくとも１つ以上の前記給電装置のうち、前記充電装置に対して無線通信を行うべき前記給電装置を特定し、該給電装置と前記充電装置との間で無線通信を確立する給電装置。
【手続補正２】
【補正対象書類名】明細書
【補正対象項目名】発明の名称
【補正方法】変更
【補正の内容】
【発明の名称】非接触充電システム、車両及び給電装置
【手続補正３】
【補正対象書類名】明細書
【補正対象項目名】００１０
【補正方法】変更
【補正の内容】
【００１０】
この発明に係る車両は、充電装置に電力を供給する給電装置と、給電装置に設けられ、無線通信を行うための給電装置無線通信部と、給電装置に設けられ、非接触で照合用電力を出力するとともに充電用電力を給電する給電コイルとを備える少なくとも１つの充電スタンドによって非接触充電される、充電装置を備えた車両であって、充電装置は、無線通信を行うための充電装置無線通信部と、充電装置に設けられ、非接触で照合用電力が入力されるとともに充電用電力を受電するための受電コイルと、受電コイルにて受電した照合用電力を検出するための照合用電力検出部とを備え、無線通信は充電装置と少なくとも１つの給電装置との間で通信が可能であり、給電装置はあらかじめそれぞれ異なる識別情報に基づいて、照合用電力を発生させるために給電コイルに供給する電力のパターンを保持しており、照合用電力を発生させるために給電コイルに供給する電力のパターンは、照合用電力を照合用電力検出部で検出する際に、識別情報を照合用電力検出部が検出できるように生成されており、充電装置は給電装置に対して給電装置起動要求を発信し、給電装置起動要求を受信した給電装置は、給電コイルから照合用電力を出力し、受電コイルに照合用電力が入力され、照合用電力を照合用電力検出部が検出し、充電装置が、識別情報に基づく情報を含む無線接続要求を発信し、少なくとも１つの給電装置はそれぞれ識別情報と識別情報に基づく情報とを照合し、識別情報と識別情報に基づく情報とが一致した給電装置が充電装置に対して応答することで、少なくとも１つ以上の給電装置のうち、充電装置に対して無線通信を行うべき給電装置を特定し、該給電装置と充電装置との間で無線通信を確立する。
この発明に係る給電装置は、無線通信を行うための給電装置無線通信部と、非接触で照合用電力を出力するとともに充電用電力を給電する給電コイルとを備え、少なくとも１つの充電スタンドに設けられ、車両に搭載された充電装置に電力を供給する給電装置であって、充電装置は、無線通信を行うための充電装置無線通信部と、非接触で照合用電力が入力されるとともに充電用電力を受電するための受電コイルと、受電コイルにて受電した照合用電力を検出するための照合用電力検出部と
を備え、無線通信は充電装置と少なくとも１つの給電装置との間で通信が可能であり、給電装置はあらかじめそれぞれ異なる識別情報に基づいて、照合用電力を発生させるために給電コイルに供給する電力のパターンを保持しており、照合用電力を発生させるために給電コイルに供給する電力のパターンは、照合用電力を照合用電力検出部で検出する際に、識別情報を照合用電力検出部が検出できるように生成されており、充電装置は給電装置に対して給電装置起動要求を発信し、給電装置起動要求を受信した給電装置は、給電コイルから照合用電力を出力し、受電コイルに照合用電力が入力され、照合用電力を照合用電力検出部が検出し、充電装置が、識別情報に基づく情報を含む無線接続要求を発信し、少なくとも１つの給電装置はそれぞれ識別情報と識別情報に基づく情報とを照合し、識別情報と識別情報に基づく情報とが一致した給電装置が充電装置に対して応答することで、少なくとも１つ以上の給電装置のうち、充電装置に対して無線通信を行うべき給電装置を特定し、該給電装置と充電装置との間で無線通信を確立する。